【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
イオン選択性電極及び参照電極を用いることにより、試料中の成分、及び校正液の電位をそれぞれ測定し、前記校正液の電位の測定結果に基づき前記試料中の成分の測定結果を出力する自動分析方法において、
前記校正液の電位を所定時間毎に取得する監視ステップと、
前記取得した前記校正液の電位が予め定められた許容範囲を超えたとき、エラーを報知するステップと、
少なくとも前記校正液の電位が前記許容範囲内にあるとき、前記試料中の成分の測定結果を出力する出力ステップと
を有する
ことを特徴とする自動分析方法。
【請求項２】
イオン選択性電極及び参照電極を用いることにより、試料中の成分、及び校正液の電位をそれぞれ測定し、前記校正液の電位の測定結果に基づき前記試料中の成分の測定結果を出力する自動分析方法において、
前記校正液の電位を所定時間毎に取得する監視ステップと、
前記取得した前記校正液の電位が予め定められた許容範囲を超えたとき、エラーを報知するステップと、
前記取得した前記校正液の電位が予め定められた許容範囲内にあるとき、前記取得した前記校正液の電位データを記憶する記憶ステップと、
前記取得した前記校正液の電位データを記憶したとき、該記憶した前記校正液の電位データを含み、過去に記憶した所定の複数個の前記校正液の電位データに基づき、前記校正液の電位データを取得した後から予め定められた時間を経過したときの前記校正液の予測電位を算出する算出ステップと、
前記算出された前記校正液の予測電位が前記許容範囲を超えたとき、エラーを報知するステップと、
少なくとも前記校正液の予測電位が前記許容範囲内にあるとき、前記試料中の成分の測定結果を出力する出力ステップと、
を有する
ことを特徴とする自動分析方法。
【請求項３】
イオン選択性電極及び参照電極を用いることにより、試料中の成分、及び校正液の電位をそれぞれ測定し、前記校正液の電位の測定結果に基づき前記試料中の成分の測定結果を出力する自動分析方法において、
前記校正液の電位を所定時間毎に取得する監視ステップと、
前記取得した前記校正液の電位が予め定められた許容範囲を超えたとき、エラーを報知するステップと、
前記取得した前記校正液の電位が予め定められた許容範囲内にあるとき、前記取得した前記校正液の電位データを記憶する記憶ステップと、
前記取得した前記校正液の電位データを記憶したとき、該記憶した前記校正液の電位データを含み、過去に記憶した所定の複数個の前記校正液の電位データに基づき、前記校正液の電位データを取得した後から前記校正液の予測電位が前記許容範囲を超えるときまでの経過時間を算出する算出ステップと、
前記算出された前記経過時間を報知するステップと、
少なくとも前記経過時間が前記試料中の成分の測定結果の出力を終了するまでの時間を超えたとき、前記試料中の成分の測定結果を出力する出力ステップと、
を有する
ことを特徴とする自動分析方法。
【請求項４】
前記監視ステップは、校正液の洗浄を終了してから前記出力ステップを開始するまでの間に設けられていることを特徴とする請求項１から請求項３のいずれかに記載の自動分析方法。
【請求項５】
前記監視ステップは、前記出力ステップを終了してから次の前記出力ステップを開始するまでの間に設けられていることを特徴とする請求項１から請求項３のいずれかに記載の自動分析方法。
【請求項６】
前記算出ステップの前に、前記予め定められた時間を指定するステップを有することを特徴とする請求項２から請求項５のいずれかに記載の自動分析方法。
【請求項７】
前記算出ステップは、前記過去に記憶した少なくとも３個の前記校正液の電位データに基づき、前記予め定められた時間と前記校正液の電位との関係を求め、該求めた前記関係により、前記校正液の予測電位を算出することを特徴とする請求項２から請求項６のいずれかに記載の自動分析方法。
【請求項８】
前記エラーを報知するステップ以前の前記記憶した前記校正液の電位データを表示するステップを有することを特徴とする請求項１から請求項７のいずれかに記載の自動分析方法。
【請求項９】
イオン選択性電極及び参照電極を用いることにより、試料中の成分、及び校正液の電位をそれぞれ測定し、前記校正液の電位の測定結果に基づき前記試料中の成分の測定結果を出力する自動分析装置において、
前記校正液の電位を所定時間毎に取得する電位計と、
前記取得された前記校正液の電位が予め定められた許容範囲を超えたとき、エラーを報知部に出力し、少なくとも前記校正液の電位が前記許容範囲内にあるとき、前記試料中の成分の測定結果を報知部に出力する制御部と、
を有する
ことを特徴とする自動分析装置。
【請求項１０】
イオン選択性電極及び参照電極を用いることにより、試料中の成分、及び校正液の電位をそれぞれ測定し、前記校正液の電位の測定結果に基づき前記試料中の成分の測定結果を出力する自動分析装置において、
前記校正液の電位を所定時間毎に取得する電位計と、
前記取得された前記校正液の電位が予め定められた許容範囲を超えたとき、エラーを報知部に出力し、前記取得された前記校正液の電位が予め定められた許容範囲内にあるとき、前記取得された前記校正液の電位データを記憶部に記憶させ、前記取得された前記校正液の電位データを記憶部に記憶させたとき、該記憶させた前記校正液の電位データを含み、過去に記憶させた所定の複数個の前記校正液の電位データに基づき、前記校正液の電位データが取得された後から予め定められた時間を経過したときの前記校正液の予測電位を算出し、前記算出された前記校正液の予測電位が前記許容範囲を超えたとき、エラーを報知部に出力し、少なくとも前記校正液の予測電位が前記許容範囲内にあるとき、前記試料中の成分の測定結果を報知部に出力する制御部と、
を有する
ことを特徴とする自動分析装置。
【請求項１１】
イオン選択性電極及び参照電極を用いることにより、試料中の成分、及び校正液の電位をそれぞれ測定し、前記校正液の電位の測定結果に基づき前記試料中の成分の測定結果を出力する自動分析装置において、
前記校正液の電位を所定時間毎に取得する電位計と、
前記取得された前記校正液の電位が予め定められた許容範囲を超えたとき、エラーを報知部に出力し、前記取得された前記校正液の電位が予め定められた許容範囲内にあるとき、前記取得された前記校正液の電位データを記憶部に記憶させ、前記取得された前記校正液の電位データを記憶部に記憶させたとき、該記憶させた前記校正液の電位データを含み、過去に記憶させた所定の複数個の前記校正液の電位データに基づき、前記校正液の電位データが取得された後から前記校正液の予測電位が前記許容範囲を超えるときまでの経過時間を算出し、前記算出された前記経過時間を報知部に出力し、少なくとも前記経過時間が前記試料中の成分の測定結果の出力を終了するまでの時間を超えたとき、前記試料中の成分の測定結果を報知部に出力する制御部と、
を有する
ことを特徴とする自動分析装置。
【手続補正２】
【補正対象書類名】明細書
【補正対象項目名】発明の名称
【補正方法】変更
【補正の内容】
【発明の名称】自動分析方法及び自動分析装置
【手続補正３】
【補正対象書類名】明細書
【補正対象項目名】００１０
【補正方法】変更
【補正の内容】
【００１０】
この発明は、上記の問題を解決するものであり、測定結果を出力する出力ステップに移行する前に、電極の電位不良を報知することにより、信頼性の高い測定結果を効率良く出力することが可能な自動分析方法及び自動分析装置を提供することを目的とする。
【手続補正４】
【補正対象書類名】明細書
【補正対象項目名】００１１
【補正方法】変更
【補正の内容】
【００１１】
上記課題を解決するため、この実施形態は、信頼性の低い無駄な測定結果を出力しないために、測定結果を出力する出力ステップに移行する前に、電極の電位不良を報知することに着目した。
具体的に、この実施形態の自動分析方法は、イオン選択性電極及び参照電極を用いることにより、試料中の成分、及び校正液の電位をそれぞれ測定し、前記校正液の電位の測定結果に基づき前記試料中の成分の測定結果を出力する自動分析方法において、前記校正液の電位を所定時間毎に取得する監視ステップと、前記取得した前記校正液の電位が予め定められた許容範囲を超えたとき、エラーを報知するステップと、少なくとも前記校正液の電位が前記許容範囲内にあるとき、前記試料中の成分の測定結果を出力する出力ステップとを有する。
また、この実施形態の自動分析装置は、イオン選択性電極及び参照電極を用いることにより、試料中の成分、及び校正液の電位をそれぞれ測定し、前記校正液の電位の測定結果に基づき前記試料中の成分の測定結果を出力する自動分析装置において、前記校正液の電位を所定時間毎に取得する電位計と、前記取得された前記校正液の電位が予め定められた許容範囲を超えたとき、エラーを報知部に出力し、少なくとも前記校正液の電位が前記許容範囲内にあるとき、前記試料中の成分の測定結果を報知部に出力する制御部と、を有する。